(57)【特許請求の範囲】
【請求項１】
ＬＥＤ光源部と、
前記ＬＥＤ光源部が取り付けられる第１の面及びその反対側に設けられた第２の面を有する第１の取付板と、
前記第２の面側に位置する電源部と、
前記第２の面に、前記電源部と離隔した位置に対向して設けられた脚部と、
前記脚部を介して前記第１の取付板と結合する第２の取付板と、
前記ＬＥＤ光源部及び前記脚部を覆うカバー部と、
を備えて、
前記第１の取付板の外周と前記第２の取付板との間に形成される面において、少なくとも一対の対向する面が外気に開放されることにより、前記電源部と前記脚部との間に外気通風路が形成され、
前記カバー部と前記第２の取付板との間には前記電源部を介して互いに対向する二つの開口が形成され、
前記二つの開口の一方と前記二つの開口の他方とは前記外気通風路を介して通ずること
を特徴とする照明装置。
【請求項２】
前記カバー部は互いに対向する二つの凹部を有し、
前記二つの開口の一方は、前記二つの凹部の一方と前記第２の取付板によって形成され、
前記二つの開口の他方は、前記二つの凹部の他方と前記第２の取付板によって形成されている請求項１に記載の照明装置。
【請求項３】
前記カバー部の側面に、前記脚部との取り付け部を有する、
請求項１または２に記載の照明装置。
【請求項４】
前記電源部と脚部との間の外気通風路入口側の間隔と、同外気通風路出口側の間隔が異なるように電源部を配置する、
請求項１から３いずれか１項に記載の照明装置。
【請求項５】
前記第２の取付板に設けられた挿通孔に収まるように、前記電源部において、前記挿通孔側に突出するクリップを備えた、
請求項１から４いずれか１項に記載の照明装置。
【請求項６】
前記電源部に、前記脚部と当接するフランジ部を備えた、
請求項１から５いずれか１項に記載の照明装置。
【発明の詳細な説明】
【技術分野】
【０００１】
この発明は、ＬＥＤを光源として使用する照明装置に関する。
【背景技術】
【０００２】
従来のＬＥＤを光源として使用する照明装置においては、ＬＥＤ素子から発生した熱を吸熱する中空部材と、中空部材の内部に配置され、所定の方向に回転することによって中空部材の開口部から大気を吸入するとともに、他の開口部から大気を排出するファンと、を有する冷却ユニットを備えたものが開示されている（例えば、特許文献１参照）。
【先行技術文献】
【特許文献】
【０００３】
【特許文献１】特開２００７−２００７５０号公報
【発明の概要】
【発明が解決しようとする課題】
【０００４】
上記した従来の照明装置では、ＬＥＤ光源部から発生した熱を、ファンによって放熱しているため、ファンを用いることによる照明装置の大型化や、構造が複雑化してしまうという問題点があった。
【０００５】
この発明は、上記した問題点を解決するためになされたものであり、照明装置本体を大型化することなく、照明装置におけるＬＥＤ光源部及び電源部の温度上昇を抑制させることを目的とするものである。
【課題を解決するための手段】
【０００６】
この発明に係る照明装置は、ＬＥＤ光源部と、ＬＥＤ光源部が取り付けられる第１の面を有する第１の取付板と、第１の面と反対側の第２の面側に位置する電源部と、第２の面に、電源部と離隔した位置に対向して設けられた脚部と、脚部を介して第１の取付板と結合する第２の取付板と、ＬＥＤ光源部及び脚部を覆うカバー部と、を備え、第１の取付板の外周と第２の取付板との間に形成される面において、少なくとも一対の対向する面が外気に開放することにより、電源部と脚部との間に外気通風路を形成し、カバー部と第２の取付板との間には電源部を介して互いに対向する二つの開口が形成され、二つの開口の一方と二つの開口の他方とは外気通風路を介して通ずることを特徴としたものである。
【発明の効果】
【０００７】
上記のように構成された照明装置は、装置全体を大型化することなく、ＬＥＤ光源部と電源部の温度上昇を抑制することができるという効果を有する。
【図面の簡単な説明】
【０００８】
【図１】この発明の実施の形態１における照明装置の外観を示す斜視図である。
【図２】この発明の実施の形態１における照明装置の６面図である。
【図３】この発明の実施の形態１における照明装置の分解斜視図である。
【図４】この発明の実施の形態１における照明装置の、第２の取付板をはずした状態での背面側からの斜視図と背面図である。
【図５】この発明の実施の形態２における照明装置の正面図である。
【図６】この発明の実施の形態３における照明装置の正面図である。
【発明を実施するための形態】
【０００９】
以下に、本発明の実施の形態にかかる照明装置を図面に基づいて詳細に説明する。なお、この実施の形態によりこの発明が限定されるものではない。
【００１０】
実施の形態１
この発明の実施の形態１における照明装置について図１から図４を用いて説明する。図１に示すように、照明装置１０００は、ＬＥＤ光源を覆うカバー部４００と、カバー部４００が取り付けられる一対の脚部２２０（一方のみ図示）と、脚部２２０の間に設けられる電源部３００と、脚部２２０を載置し、ネジ止めによって脚部２２０を取り付ける第２の取付板５００を有する。
なお、脚部２２０を第２の取付板５００に取り付ける方法は、ネジ止め以外の溶接等その他の結合手段であっても良い。
【００１１】
図２は、照明装置１０００の６方向からの形状を示したものであり、（ａ）正面図、（ｂ）背面図、（ｃ）左側面図、（ｄ）右側面図、（ｅ）平面図、（ｆ）底面図からなる。（ａ）正面図は、図１の照明装置１０００を上方向から見た図である。（ｃ）左側面図と（ｄ）右側面図から分かるように、カバー部４００にはコの字状となるような開口部が設けられ、その内部には電源部３００が備えられている。
【００１２】
また、図３は、照明装置１０００の分解斜視図を示したものである。照明装置１０００は、カバー部４００の内部にＬＥＤ光源部１００と、このＬＥＤ光源部１００が取り付けられる第１の取付板２００とを備える。
図３を用いて、照明装置１０００の構成を以下に詳述する。照明装置１０００は、前述した第１の取付板２００に設けられる一対の脚部２２０と、この脚部２２０の間に設けられる電源部３００と、ＬＥＤ光源部１００と第１の取付板２００及び脚部２２０の一部を覆うように、脚部２２０に取り付けるカバー部４００と、脚部２２０を介して、第１の取付板２００と結合する第２の取付板５００によって、構成されている。
【００１３】
ＬＥＤ光源部１００は、複数のＬＥＤ素子を有するＬＥＤ部１１０と、このＬＥＤ部１１０が実装されるＬＥＤ基板部１２０と、このＬＥＤ基板部１２０の絶縁のために絶縁板１３０とを有する。
なお、ＬＥＤ部１１０、ＬＥＤ基板部１２０と第１の取付板２００との間で絶縁性が確保される場合は、必ずしも絶縁板１３０を必要としない。この場合、ＬＥＤ光源部１００は、ＬＥＤ部１１０と、このＬＥＤ部１１０が実装されるＬＥＤ基板部１２０とから構成される。
【００１４】
第１の取付板２００は、表面２１０と、裏面２１１とを有するものであって、裏面２１１に脚部２２０が対向して設けられる。この表面２１０は第１の面に相当し、裏面２１１は第２の面に相当する。
【００１５】
第１の取付板２００における表面２１０には、ＬＥＤ光源部１００が取り付けられるものである。
【００１６】
脚部２２０は、側面から見てＬ字状の板体で形成されており、先端側の面にネジ等の締結部品が挿入される締結孔２２１が形成され、他方の面にカバー部４００が取り付けられるカバー取付孔２２２が形成される。
なお、第１の取付板２００の裏面２１１に設けられる脚部２２０は、第１の取付板２００の一部を折り曲げて形成する等、一体のものとして形成されても良いし、或いは、第１の取付板２００と別体のものとして、溶接等の結合手段で取り付けて形成されても良い。
また、本実施の形態において脚部２２０の形状は、一例としてＬ字状の板体としたが、この形状に限定されるものではない。
【００１７】
電源部３００は、電源ケース３１０と、電源ケース３１０に収納される絶縁シート３２０と、電源ケース３１０の底面部３１１の外側から挿入されるクリップ３３０と、このクリップ３３０によって固定される電源回路部３４０とを備える。
【００１８】
電源ケース３１０は、箱体を呈しており、長方形状の底面部３１１と、この底面部３１１の四辺から折り曲げられて形成される側面部３１２とを有する。底面部３１１には、クリップ３３０が挿入される円形状のクリップ取付孔３１１ａが形成される。
なお、電源部３００を構成する電源ケース３１０は、直方体形状に限定されることなく、箱体であればよい。
【００１９】
カバー部４００は、正方形状の正面カバー部４１０と、この正面カバー部４１０の両端から脚部２２０を覆うように突出し、脚部２２０に取り付けられる第１のカバー側部４２０と、脚部２２０に取り付けられない第２のカバー側部４３０とを備える。第２のカバー側部４３０は、ＬＥＤ光源１００の光がカバー外に直接漏れたり、ＬＥＤ素子が外気に露出することを防ぐものであるため、カバー部４００が脚部２２０に取り付けられたときに、ＬＥＤ光源部１００が覆われる程度の幅があれば良い。
【００２０】
第２の取付板５００は、平板状のプレートによって形成され、第２の取付板５００が取り付けられる被取付部に対応する被取付部取付穴５１０と、クリップ３３０の頭部が挿入される挿通孔５２０と、脚部２２０が取り付けられる脚部取付穴５３０とを備える。
【００２１】
第２の取付板５００は、例えば、エレベータのかごの天井等に取り付けられるものである。第２の取付板５００の形状は、蛍光ランプからＬＥＤ照明に置き換えを行う場面において、既存の蛍光ランプホルダの取付位置に合わせられるように被取付部取付穴５１０を形成している。図３に示す例では、第２の取付板５００の被取付部取付穴５１０は３箇所設けられ、これらは既存の円形蛍光ランプを取り付ける際に用いていた３箇所のランプホルダが取り付けられていた被取付部の位置と一致させている。
そのため、本実施の形態においては、既存の蛍光ランプにおいて使用されていた被取付部をそのままＬＥＤ照明に置き換える時にも活用することが可能となる。
なお、このような第２の取付板５００の形状は一例である。また、エレベータかごの天井等に直接脚部２２０を取り付けた場合は、エレベータかごの天井等そのものが第２の取付板５００としての機能を有することになる。
【００２２】
次に、本実施の形態における照明装置１０００の組み立てについて説明する。
まず、電源ケース３１０に絶縁シート３２０を挿入して、クリップ取付孔３１１ａにクリップ３３０を挿入し、このクリップ３３０によって電源回路部３４０を取り付けることによって、電源部３００が形成される。
【００２３】
次に、脚部２２０が設けられた第１の取付板２００を、電源部３００を覆うようにして電源部３００に取り付ける。
このとき、電源部３００における電源ケース３１０には、図３や図４に示すように、フランジ部３１５が設けられたものであって、一辺が脚部２２０と当接するような形状を呈しているため、フランジ部３１５が第１の取付板２００を取り付ける際にガイドの役割を果たし、作業性が向上される。
【００２４】
次に、第１の取付板２００の表面２１０にＬＥＤ光源部１００（ＬＥＤ部１１０が実装されたＬＥＤ基板部１２０と絶縁板１３０）を載置し、ネジ等の締結部品によりＬＥＤ光源部１００を表面２１０に固定する。
【００２５】
さらに、ＬＥＤ光源部１００と第１の取付板２００及び脚部２２０の一部を覆うように、カバー部４００を脚部２２０に取り付ける。
このとき、カバー部４００に設けられた第１のカバー側部４２０と、脚部２２０に設けられたカバー取付孔２２２が、ネジ等の締結部品で側面側から締結されるため、重力方向に徐々に緩む虞がなく、締結強度が長い時間維持され、カバー部４００の落下防止等の効果が得られる。
【００２６】
最後に、第２の取付板５００の挿通孔５２０に、電源ケース３１０から突出したクリップ３３０の頭部が入り込むようにして、第１の取付板２００に取り付けられた電源ケース３１０を第２の取付板５００に載置する。
この第２の取付板５００に設けられた挿通孔５２０は、例えば電源回路部３４０を取り付けるためのクリップ３３０の頭部、その他電源ケース３１０から突出している部分がある場合に、この突出している部分と第２の取付板５００との接触を避け、照明装置１０００の薄型化、小型化を図ることができるためのものである。
そして、脚部２２０に設けられた締結孔２２１と、第２の取付板５００に設けられた脚部取付穴５３０にネジ等の締結部品を挿入し、脚部２２０と第２の取付板５００を締結する。
【００２７】
また、第２の取付板５００を、あらかじめエレベータのかごの天井等の被取付部に固定しておき、そこに上述したように脚部２２０（上記工程によりＬＥＤ光源部１００と電源部３００、カバー部４００等が第１の取付板２００に取り付けられた状態）を締結することで、例えば、ＬＥＤ光源部１００や電源部３００の取り換え時や、前述したような既存の蛍光ランプからの置き換え時において、作業性が向上される。
なお、照明装置１０００の組み立ては上述した方法に限られたものではなく、別の組み立て方法であってもよい。
【００２８】
以上の方法で組み立てられた結果、図４に示す通り、電源部３００は、対向して設けられた脚部２２０と離隔した位置に設けられる。
【００２９】
図１から図３に示すように、一対の脚部２２０が設けられているため、第１の取付板２００の外周と第２の取付板５００との間に形成される面において、少なくとも一対の対向する面（脚部２２０が構成されている面以外の面）が外気に開放されている。
そのことによって、図４に示すように、電源部３００と脚部２２０の間には外気通風路２５０が形成されている。
【００３０】
また、図４に示すように、電源ケース３１０の側面部３１２は外気通風路２５０側に向いたものであって、この外気通風路２５０は、電源部３００と脚部２２０との間隔が最も大きい第１の通風路出入口部２５１と、同間隔が最も小さい第２の通風路出入口部２５２を設け、それぞれを異なる間隔としている。
そのことで、電源部３００はより外気に開放され、直接外気と接する面の表面積が増えるため、電源部３００の発熱による温度上昇を抑制することができる。
【００３１】
また、外気通風路２５０が形成されることによって、第１の取付板２００の裏面２１１を空気が通過するため、反対側の表面２１０に取り付けられたＬＥＤ光源部１００の温度上昇を抑制し、放熱性を向上することができる。
なお、ＬＥＤ光源部１００と電源部３００の放熱によっては、外気通風路２５０において、第１の通風路出入口部２５１と第２の通風路出入口部２５２を同幅とした配置であってもよい。
この場合であっても、外気通風路２５０における抵抗が少なくなるため、外気が対流しやすくなり、同様な温度上昇抑制の効果を得ることができる。
【００３２】
さらに、電源部３００からは、外部電源へ接続するための電源電線３５０が引き出されるが、工場出荷時においてこの電源電線３５０を、電源ケース３１０の周囲に巻きつけることができる。
前述したように、図４に示すような外気通風路２５０の一部が第２の通風路出入口部２５２によって絞られていることによって、電源ケース３１０に巻きつけられた電源電線３５０がばらけることなく収納することが可能となるため、工場出荷時の梱包箱に収める際等において、作業性が向上する。
【００３３】
また、複数の照明装置１０００を並べて配置する際に、隣接する同装置と配線で結ぶ必要が生じる場合、前述の電源電線３５０のように配線を電源ケース３１０の周囲に巻きつけることによって、隣接する同装置の配置方向に取り回しやすくなるため、取り付け時における作業性も向上する。
【００３４】
以上、この発明の実施の形態１によれば、照明装置１０００の電源部３００を外気に向けて開放することで、作業性の向上を図るとともに、照明装置１０００を大型化することなく、ＬＥＤ光源部１００及び電源部３００の放熱性向上という効果を有することができる。
【００３５】
実施の形態２
この発明の実施の形態２の照明装置について、図５を用いて説明する。この実施の形態２の照明装置は、カバー部４００の形状を正面視において円形状にしたものである。
【００３６】
カバー部４００は、ＬＥＤ光源部１００を保護するためのものであるため、ＬＥＤ光源部１００を覆う形状であればよく、この発明の実施の形態２によっても、実施の形態１と同様の効果を有することができる。
【００３７】
実施の形態３
この発明の実施の形態３の照明装置について、図６を用いて説明する。この実施の形態３の照明装置は、カバー部４００の形状を正面視において八角形状にしたものである。
【００３８】
この発明の実施の形態３によっても、前述した実施の形態２と同様、実施の形態１と同様の効果を有することができる。
なお、カバー部４００の形状は正面視において八角形状に限られたものではなく、その他の多角形状であってもよい。
【００３９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４０】
１００  ＬＥＤ光源部、１１０  ＬＥＤ部、１２０  ＬＥＤ基板部、１３０  絶縁板、２００  第１の取付板、２１０  表面、２１１  裏面、２２０  脚部、２２１  締結孔、２２２  カバー取付孔、２５０  外気通風路、２５１  第１の通風路出入口部、２５２  第２の通風路出入口部、３００  電源部、３１０  電源ケース、３１１  底面部、３１１ａ  クリップ取付孔、３１２  側面部、３１５  フランジ部、３２０  絶縁シート、３３０  クリップ、３４０  電源回路部、３５０  電源電線、４００  カバー部、４１０  正面カバー部、４２０  第１のカバー側部、４３０  第２のカバー側部、５００  第２の取付板、５１０  被取付部取付穴、５２０  挿通孔、５３０  脚部取付穴、１０００  照明装置
【図１】
0006672694.tif 000002
【図２】
0006672694.tif 000003
【図３】
0006672694.tif 000004
【図４】
0006672694.tif 000005
【図５】
0006672694.tif 000006
【図６】
0006672694.tif 000007